(57)【要約】      （修正有）【課題】ロール紙から切断した単券にカール癖が発生することを防止しながら、自動的にロール紙を補充して単券の発行を継続する。【解決手段】カッタ部で切断された単券に所定の視認情報を印字して発行する発券装置１において、第１および第２の収納部４ａ、４ｂに、それぞれに収納されたロール紙２ａ、２ｂを搬送する第１および第２のロール紙搬送路６ａ、６ｂを設けると共に、第１のロール紙搬送路６ａに連結し、第１の収納部４ａから第１のロール紙搬送路６ａにより搬送されたロール紙２ａの先頭端をカッタ部へ搬送する１つの導入搬送路１２を設け、第１の収納部４ａに収納されたロール紙２ａの後尾端が、導入搬送路１２へ受渡されたときに、ロール紙収納部４を軸方向に移動させて、第２のロール紙搬送路６ｂと導入搬送路１２とを連結する。【選択図】図２
2011221716.tif 000002
【特許請求の範囲】
【請求項１】
軸方向に並列に配置されたロール紙をそれぞれ収納する第１および第２の収納部を有するロール紙収納部と、前記ロール紙の先頭部分を規定の長さに切断する１つのカッタ部とを備え、前記カッタ部で切断された単券に所定の視認情報を印字して発行する発券装置において、
前記第１および第２の収納部に、それぞれに収納されたロール紙を搬送する第１および第２のロール紙搬送路を設けると共に、前記第１のロール紙搬送路に連結し、前記第１の収納部から前記第１のロール紙搬送路により搬送されたロール紙の先頭端を前記カッタ部へ搬送する１つの導入搬送路を設け、
前記第１の収納部に収納されたロール紙の後尾端が、前記導入搬送路へ受渡されたときに、前記ロール紙収納部を軸方向に移動させて、前記第２のロール紙搬送路と前記導入搬送路とを連結することを特徴とする発券装置。
【請求項２】
請求項１において、
前記第１および第２の収納部に、それぞれに収納されたロール紙の先頭端を分離して前記第１および第２のロール紙搬送路へ繰出す分離繰出機構を設けたことを特徴とする発券装置。
【請求項３】
請求項１または請求項２において、
前記導入搬送路の、前記第１または第２のロール紙搬送路との連結端と、前記カッタ部との間に、前記導入搬送路を搬送されるロール紙の通過を検出する通過監視センサを設け、
前記通過監視センサが、前記第１の収納部のロール紙の後尾端を検出したときに、前記後尾端が前記導入搬送路へ受渡されたと判定することを特徴とする発券装置。
【請求項４】
請求項３において、
前記通過監視センサが、前記第２の収納部のロール紙の後尾端を検出したときに、前記ロール紙収納部の用紙切れを報知し、前記第２の収納部のロール紙による単券の発行中に、新たな複数のロール紙の装填を行うことを特徴とする発券装置。
【発明の詳細な説明】
【技術分野】
【０００１】
本発明は、複数のロール紙を軸方向に並列に収納し、乗車券等の単券を発行する発券装置に関する。
【背景技術】
【０００２】
鉄道で用いられる券売機においては、利用者が選択した区間の乗車券を発行する場合、裏面に磁気コーティングが施されたロール紙を乗車券の長さに切断し、切断した単券のおもて面に乗車区間等の視認情報を印字し、裏面に乗車区間等の磁気情報を書込んで自動で発行している。
【０００３】
このような券売機は、通常、無人で稼動しているため、ロール紙の補充頻度が高いと保守員等の係員の負担が増大することから、ロール紙は太巻きにされ、例えば乗車券用のロール紙は、外径φ３００ｍｍ、巻芯径φ１２０ｍｍ、幅５７．５ｍｍ、重さ約３ｋｇのものが標準的に用いられている。
【０００４】
また、乗降客の多い駅舎等においては、ロール紙の補充頻度を更に軽減するために、複数のロール紙を装填し、自動的にロール紙を補充して単券の発行を継続することができる発券装置を搭載した券売機が用いられている。
【０００５】
このような複数のロール紙を装填した従来の発券装置は、２巻のロール紙を、その軸方向に並列に配置し、それぞれのロール紙収納部からの搬送路を、搬送されるロール紙の幅方向に並設し、補充用のロール紙の搬送路の単券に切断するカッタ部の手前に、Ｓ字状搬送路を内蔵した経路変換部を設け、補充用のロール紙の先頭端をＳ字状にかつ幅方向に移動させて他方のロール紙の搬送路に合流させ、他方のロール紙の用紙切れが発生した後は、補充用のロール紙を用いて自動的に単券の発行を継続させているものもある（例えば、特許文献１参照。）。
【先行技術文献】
【特許文献】
【０００６】
【特許文献１】特開２００７−３４４０８号公報（段落００１０−００１８、第１図、第３図）
【発明の概要】
【発明が解決しようとする課題】
【０００７】
しかしながら、上述した特許文献２の技術においては、一方の搬送路にＳ字状搬送路を内蔵した経路変換部を設けて、補充用のロール紙の先頭端をＳ字状にかつ幅方向に移動させているため、ロール紙がＳ字状搬送路に一定時間停滞した場合には、ロール紙にＳ字状搬送路の曲率半径に沿った巻癖や、幅方向の移動に伴う捩れ癖等のカール癖が付き、切断後の単券の搬送においてジャム等の搬送不良が発生する場合があるという問題がある。
【０００８】
また、単券にカール癖が付いたまま顧客に発行されると、見栄え品質が低下すると共に、その後の自動改札におけるジャム等の搬送不良の要因になるという問題がある。
【０００９】
本発明は、上記の問題点を解決するためになされたもので、ロール紙から切断した単券にカール癖が発生することを防止しながら、自動的にロール紙を補充して単券の発行を継続する手段を提供することを目的とする。
【課題を解決するための手段】
【００１０】
本発明は、上記課題を解決するために、軸方向に並列に配置されたロール紙をそれぞれ収納する第１および第２の収納部を有するロール紙収納部と、前記ロール紙の先頭部分を規定の長さに切断する１つのカッタ部とを備え、前記カッタ部で切断された単券に所定の視認情報を印字して発行する発券装置において、前記第１および第２の収納部に、それぞれに収納されたロール紙を搬送する第１および第２のロール紙搬送路を設けると共に、前記第１のロール紙搬送路に連結し、前記第１の収納部から前記第１のロール紙搬送路により搬送されたロール紙の先頭端を前記カッタ部へ搬送する１つの導入搬送路を設け、前記第１の収納部に収納されたロール紙の後尾端が、前記導入搬送路へ受渡されたときに、前記ロール紙収納部を軸方向に移動させて、前記第２のロール紙搬送路と前記導入搬送路とを連結することを特徴とする。
【発明の効果】
【００１１】
これにより、本発明は、ロール紙から切断した単券にカール癖が発生することを防止しながら、自動的に補充したロール紙によって単券の発行を継続することができ、ロール紙の補充頻度を減少させて係員の負担を軽減することができるという効果が得られる。
【図面の簡単な説明】
【００１２】
【図１】実施例１の発券装置の側面を示す説明図
【図２】実施例１の発券装置の正面を示す説明図
【図３】実施例１の発券装置を示すブロック図
【図４】実施例１の発券処理を示すフローチャート
【図５】実施例１のロール紙の補充動作を示す説明図
【図６】実施例２の発券装置の側面を示す説明図
【図７】実施例２の発券装置の正面を示す説明図
【図８】実施例２の発券装置を示すブロック図
【図９】実施例２の発券処理を示すフローチャート
【図１０】実施例２の分離繰出機構の退避動作を示す説明図
【発明を実施するための形態】
【００１３】
以下に、図面を参照して本発明による発券装置の実施例について説明する。
【実施例１】
【００１４】
図１、図２において、１は発券装置である。本実施例では、鉄道で用いられる券売機に搭載される発券装置であって、単券発行用紙であるロール紙２の補充頻度を軽減するために、軸方向に並列に配置した複数（本実施例では２巻）のロール紙２が装填される。
【００１５】
ロール紙２ａ、２ｂは、裏面に磁気コーティングが施された長尺の紙帯を円筒状の巻芯３ａ、３ｂを中心として巻付けて形成され、乗車券、定期券、指定券等を発行する際にそれぞれの規定の長さに切断して用いられ、ロール紙２ｂは、現在用いているロール紙２ａ（現用のロール紙２ともいう。）がなくなったときの補充用として用いられる。
【００１６】
本実施例のロール紙２は、乗車券等用として標準的に用いられているものであって、具体的には外径φ３００ｍｍ、巻芯３の径φ１２０ｍｍ、幅５７．５ｍｍ、重さ約３ｋｇのロール紙である。なお、幅方向はロール紙２の軸方向と同一方向である。
【００１７】
４はロール紙収納部であり、軸方向に並列に配置されたロール紙２ａ、２ｂを囲う有底の枠体であって、現用とするロール紙２ａを収納する第１の収納部４ａと、補充用とするロール紙２ｂを収納する第２の収納部４ｂとが軸方向に並べて設けられており、各ロール紙２ａ、２ｂは、第１および第２の収納部４ａ、４ｂにそれぞれの回転可能に支持されたシャフト５ａ、５ｂにロール紙２ａ、２ｂの円筒状の巻芯３ａ、３ｂの内径をそれぞれ嵌合させた状態で収納される。なお、シャフト５ａ、５ｂは、別個に回転するように構成されている。
【００１８】
６ａは第１のロール紙搬送路であり、ロール紙収納部４の第１の収納部４ａに収納されたロール紙２ａを搬送する搬送路であって、第１の収納部４ａに取付けられており、搬送ローラ７ａ、８ａ等により構成され、駆動部９（図３参照）に設けられた駆動ベルト、ギア列、モータ等の駆動機構により正逆方向に駆動される。また、第１のロール紙搬送路６ａの搬送ローラ８ａの、正搬送方向（ロール紙収納部４から繰出されたロール紙２が搬送される方向をいう。）の上流側には、第１のロール紙搬送路６ａを搬送されるロール紙２ａの搬送状態を監視する搬送監視センサ１０ａが配置されている。
【００１９】
６ｂは第２のロール紙搬送路であり、ロール紙収納部４の第２の収納部４ｂに収納されたロール紙２ｂを搬送する搬送路であって、第２の収納部４ｂに取付けられており、搬送ローラ７ｂ、８ｂ等により構成され、駆動部９に設けられた駆動機構により第１のロール紙搬送路６ａとは独立に正逆方向に駆動される。また、第２のロール紙搬送路６ｂの搬送ローラ８ｂの、正搬送方向の上流側には、第２のロール紙搬送路６ｂを搬送されるロール紙２ｂの搬送状態を監視する搬送監視センサ１０ｂが配置されている。
【００２０】
搬送監視センサ１０ａは、第１のロール紙搬送路６ａを挟んで発光部と受光部とを対向配置した光学式センサであって、発光部からの光を搬送中のロール紙２ａが遮ったこと受光部で検出して、正搬送方向に搬送されるロール紙２の先頭端および後尾端を検出する機能を有している。搬送監視センサ１０ｂの場合も同様である。
【００２１】
１１は第１のロール紙搬送路６ａまたは第２のロール紙搬送路６ｂと導入搬送路１２との連結部であり、導入搬送路１２の正搬送方向の最上流の端部である連結端と、第１および第２のロール紙搬送路６ａ、６ｂのそれぞれの搬送ローラ８ａ、８ｂの正搬送方向の下流側の直後の最下流の端部であるそれぞれの連結端とを切替により連結する部位である。
【００２２】
導入搬送路１２は、第１のロール紙搬送路６ａまたは第２のロール紙搬送路６ｂから受渡されたロール紙２を搬送する搬送路であって、連結部１１から、ロール紙２の先頭部分を規定の長さに切断するカッタ部１３までの間を接続している。
【００２３】
１４は通過監視センサであり、導入紙搬送路１２を挟んで発光部と受光部とを対向配置した光学式センサであって、発光部からの光を搬送中のロール紙２が遮ったこと受光部で検出して、正搬送方向に搬送されるロール紙２の先頭端および後尾端を検出する機能を有しており、導入紙搬送路１２の途中の連結部１１側に配置され、導入紙搬送路１２を搬送されるロール紙２の通過を監視する。
【００２４】
１５は単券搬送路であり、導入紙搬送路１２の正搬送方向の最下流部に配置されたカッタ部１３で規定の長さに切断された単券を搬送する搬送路であって、カッタ部１３から、発行する単券（本実施例では、乗車券等）を集積する発券装置１の正面に設けられたスタッカ１６までの間を接続する搬送路であって、カッタ部１３から正搬送方向に沿って、単券のおもて面に所定の視認情報（本実施例では、乗車区間等）を印字する印字部１８、単券の裏面に所定の磁気情報（本実施例では、乗車区間等）を書込む磁気情報書込部１９、磁気情報書込部１９で書込まれた磁気情報が正しく書込まれているかを確認する磁気情報読取部２０が順に配置されている。
【００２５】
２１は券挿入部であり、発券装置１や他の発券装置で発行された単券を取消す等の追加処理を行う場合にその単券を挿入する部位である。
【００２６】
３０はロール紙移動機構であり、ロール紙収納部４のロール紙２の軸方向に沿った両側に設けられた往復移動可能に構成されたスライドレール３１、駆動部９に設けられた移動モータ３２により正逆方向に回転駆動される駆動プーリ３３ａと従動プーリ３３ｂの間に掛渡された歯付ベルト等からなる移動ベルト３４、ロール紙収納部４を移動ベルト３４に固定する固定具３５等により構成され、現用のロール紙２ａの繰出が終了したときに、移動モータ３２により駆動プーリ３３ａを回転駆動して、移動ベルト３４、固定具３５を介してロール紙収納部４を原位置（図２に示す、第１の収納部４ａの第１のロール紙搬送路６ａの連結端を連結部１１に停止させた位置をいう。）から軸方向（図２に示す矢印方向）に移動させ、補充用のロール紙２ｂを収納した第２の収納部４ｂの第２のロール紙搬送路６ｂの連結端を連結部１１に停止させると共に、新たな２巻のロール紙２の装填時にロール紙収納部４を逆方向へ移動させて原位置へ戻す機能を有している。
【００２７】
３７はロール紙検出センサであり、ロール紙収納部４に装填された２巻のロール紙２を挟んで発光部と受光部とをロール紙２の軸方向に対向配置した光学式センサであって、発光部からの光をロール紙２が遮ったこと受光部で検出して、ロール紙収納部４に収納されたロール紙２の存否を検出する機能を有している。
【００２８】
３８は開閉扉であり、ロール紙２を装填するとき等に開閉する保守用の扉であって、開閉扉３８の開閉を検出する開閉検出センサ３８ａ（図３参照）が設けられている。
【００２９】
本実施例では、発券装置１の筐体の正面板、つまりスタッカ１６が設けられた正面板が開閉可能に構成された開閉扉３８として機能する。
【００３０】
上記した各部位は、ロール紙券発行アセンブリとして図示しないスライド機構上に設置された１つのアセンブリフレーム（図示省略）内に組込まれており、開閉扉３８を開放することによって、ロール紙券発行アセンブリの全体が正面側に引出せるように構成されている。
【００３１】
なお、上記したロール紙収納部４、並びに第１および第２のロール紙搬送路６ａ、６ｂを除く部位は、アセンブリフレームに固定されているが、ロール紙移動機構３０のスライドレール３１は、アセンブリフレームとロール紙収納部４との間に配置されており、ロール紙収納部４、並びに第１および第２のロール紙搬送路６ａ、６ｂはアセンブリフレームに対して相対移動可能に構成されている。
【００３２】
また、本実施例の導入搬送路１２と単券搬送路１５とで構成される搬送経路は１本であり、この搬送経路に設けられているカッタ部１３、印字部１８、磁気情報書込部１９、磁気情報読取部２０もそれぞれ１つである。
【００３３】
図３において、４１は発券装置１の制御部であり、信号線等の信号回線４２を介して上位装置４３（本実施例では、乗車券等の券売機）の図示しない主制御部に接続しており、上位装置４３との相互通信を制御すると共に、発券装置１内の各部を制御して、発券処理やロール紙補充処理等を実行する機能を有している。
【００３４】
４５は発券装置１の記憶部であり、制御部４１が実行するプログラムやそれに用いる各種のデータおよび制御部４１による処理結果等が格納される。
【００３５】
この記憶部４５には、上位装置４３から送信された発券指令に添付された単券種別（本実施例では、乗車券）を基に、ロール紙２を規定の長さに切断してその単券に所定の視認情報や磁気情報を書込んで利用者に発行する機能を有する発券処理プログラムや、現用のロール紙２ａの第１の収納部４ａからの繰出が終了し、そのロール紙２ａの後尾端が導入搬送路１２へ受渡されたときに、ロール紙収納部４を軸方向に移動させて、単券発行用紙を、第２の収納部４ｂに収納された補充用のロール紙２ｂに切替えて、発券を継続するロール紙補充処理プログラム等からなる業務実行プログラムが予め格納されており、制御部４１が実行する業務実行プログラムのステップにより本実施例の発券装置１の各機能手段が形成される。
【００３６】
以下に、図４にＳで示すステップに従って、本実施例の発券処理およびロール紙補充処理について説明する。
【００３７】
Ｓ１：ロール紙収納部４にロール紙２が収納されていない場合、係員は発券装置１の開閉扉３８を開放し、ロール紙券発行アセンブリを発券装置１の筐体から引出し、原位置に停止しているロール紙収納部４の第１の収納部４ａ内に現用とするロール紙２ａの巻芯３ａの内径をシャフト５ａに嵌合させて装填し、そのロール紙２ａの先頭端を引出して搬送ローラ７ａ側から挿入し、第１のロール紙搬送路６ａを通過させて連結端側に配置されている搬送ローラ８ａに挟持させる（この搬送ローラ８ａがロール紙２ａの先頭端を挟持して停止させた位置を、ロール紙２ａの発券待機位置という。）。
【００３８】
また、第１の収納部４ａの軸方向の背後に配置された第２の収納部４ｂ内に補充用とするロール紙２ｂの巻芯３ｂの内径をシャフト５ｂに嵌合させて装填し、そのロール紙２ｂの先頭端を引出して搬送ローラ７ｂ側から挿入し、第２のロール紙搬送路６ｂを通過させて連結端側に配置されている搬送ローラ８ｂに挟持させる（この搬送ローラ８ｂがロール紙２ｂの先頭端を挟持して停止させた位置を、ロール紙２ｂの発券待機位置という。）。
【００３９】
そして、係員は、各ロール紙２ａ、２ｂのそれぞれの先頭端を発券待機位置に位置させた状態でロール紙券発行アセンブリを、発券装置１の筐体内へ押込んで開閉扉３８を閉鎖する。発券装置１の制御部４１は、開閉扉３８に設けた開閉検出センサ３８ａが開閉扉３８の閉鎖を検出したときにステップＳ２へ移行する。
【００４０】
Ｓ２：制御部４１は、導入搬送路１２の通過監視センサ１４がロール紙収納部４から繰出されている現用ロール紙２（本段階ではロール紙２ａ）の後尾端を検出するのを待って待機しており、通過監視センサ１４がロール紙２の後尾端を検出したときに、現用ロール紙２のロール紙収納部４からの繰出が終了し、その後尾端の導入搬送路１２への受渡が終了したことを判定し、ロール紙補充処理を実行するためにステップＳ１２へ移行する。通過監視センサ１４がロール紙２の後尾端を検出しない場合、つまり導入搬送路１２を搬送されるロール紙２を検出し続けている場合はステップＳ３へ移行する。
【００４１】
Ｓ３：制御部４１は、上位装置４３からの信号回線４２を介した発券指令の着信を待って待機しており、発券指令を受信したときに発券処理の実行を判定してステップＳ６へ移行する。発券指令を受信しない場合は、ステップＳ２へ戻ってステップＳ２、Ｓ３による待機を継続する。
【００４２】
Ｓ４：発券指令を受信した制御部４１は、ロール紙２（本段階ではロール紙２ａ）の先頭端が発券待機位置にある場合は、ロール紙搬送路６（本段階では第１のロール紙搬送路６ａ）および導入搬送路１２によってカッタ部１３まで搬送した先頭端を、ロール紙２による発券処理の継続中である場合は、カッタ部１３に位置している切断後の先頭端を、発券指令に添付された単券種別を基に、導入搬送路１２等によって先頭端を発行すべき単券種別（本実施例では、乗車券）の規定の長さ分搬送し、その先頭部分をカッタ部１３によって切断して発行に用いる単券を形成する。
【００４３】
Ｓ５：規定の長さの単券を形成した制御部４１は、その単券を単券搬送路１５により印字部１８へ搬送し、単券のおもて面に所定の視認情報（本実施例では、乗車区間等）を印字する。
【００４４】
Ｓ６：単券に視認情報を印字した制御部４１は、印字を終えた単券を単券搬送路１５により磁気情報書込部１９へ搬送し、単券の裏面の磁気コーティング部に所定の磁気情報（本実施例では、乗車区間等）を書込む。
【００４５】
Ｓ７：単券に磁気情報を書込んだ制御部４１は、その単券を単券搬送路１５により磁気情報読取部２０へ搬送し、磁気情報書込部１９で書込まれた磁気情報を読取り、読取った磁気情報が正しい場合はステップＳ８へ移行する。読取った磁気情報に誤りが存在する場合はステップＳ１０へ移行する。
【００４６】
Ｓ８：磁気情報が正しく書込まれていることを認識した制御部４１は、その単券を単券搬送路１５によりスタッカ１６へ搬送して排出集積し、利用者が選択した単券種別の単券を発行し、１枚の単券の発券処理を終了させてステップＳ９へ移行する。
【００４７】
Ｓ９：制御部４１は、発券装置１へ供給されている電力の状態を確認し、電源が遮断されている場合は全ての処理を終了させる。電力の供給が継続している場合は、ステップＳ２へ戻り、発券処理およびロール紙補充処理の実行を継続する。
【００４８】
Ｓ１０：上記ステップＳ７において、磁気情報に誤りが存在することを認識した制御部４１は、書込異常が発生した旨の異常発生通知を、信号回線４２を介して上位装置４３へ送信してステップＳ１１へ移行する。異常発生通知を受信した上位装置４３は、警報等により書込異常の発生を係員に報知する。
【００４９】
Ｓ１１：書込異常の発生を報知した制御部４１は、係員による復旧作業の終了を待って待機しており、開閉検出センサ３８ａが開閉扉３８の開放を検出し続けていることにより復旧作業中と認識した場合は前記の待機を継続する。開閉検出センサ３８ａが開閉扉３８の閉鎖を検出したことにより装置の復旧を認識した場合は、接続子Ａを介してステップＳ２へ戻り、発券処理およびロール紙補充処理の実行を継続する。
【００５０】
この場合に、ステップＳ３において、上位装置４３から発行しようとした単券の再発行のための発券指令を受信した場合は、上記ステップＳ４〜Ｓ８による発券処理を実行し、利用者が選択した単券種別の単券を再発行する。
【００５１】
Ｓ１２：上記ステップＳ２において、通過監視センサ１４がロール紙２の後尾端を検出したことにより現用ロール紙２の後尾端の導入搬送路１２への受渡終了を判定した制御部４１は、ロール紙補充処理を実行するために、ロール紙検出センサ３７からの出力を確認し、ロール紙検出センサ３７が第２の収納部４ｂに装填されている補充用のロール紙２ｂの存在を検出している場合はステップＳ１５へ移行する。ロール紙検出センサ３７がロール紙２の存在を検出していない場合、つまりロール紙収納部４に装填された２巻のロール紙２の繰出が終了している場合はステップＳ１３へ移行する。
【００５２】
なお、本実施例の発券装置１では、ロール紙２の後尾端が通過監視センサ１４を通過した後、予め設定された一定枚数の単券を発行した後に当該ロール紙２による単券の発行を停止するように設定されている。
【００５３】
Ｓ１３：装填された２巻のロール紙２の繰出が終了したことを認識した制御部４１は、ロール紙収納部４の用紙切れを認識し、用紙切れが発生した旨の用紙切れ発生通知を、信号回線４２を介して上位装置４３へ送信してステップＳ１４へ移行する。用紙切れ発生通知を受信した上位装置４３は、警報等によりロール紙収納部４における用紙切れの発生を係員に報知する。
【００５４】
用紙切れの報知を受けた係員は、開閉扉３８を開放し、ロール紙券発行アセンブリを引出して残置された巻芯３ａ、３ｂを除去し、上記ステップＳ１と同様にして、ロール紙２ａ、２ｂを第１および第２の収納部４ａ、４ｂに装填して、それぞれの先頭端を発券待機位置に位置させ、その状態でロール紙券発行アセンブリを発券装置１の筐体内へ押込んで開閉扉３８を閉鎖する。
【００５５】
Ｓ１４：用紙切れの発生を報知した制御部４１は、係員による装填作業の終了を待って待機しており、開閉検出センサ３８ａが開閉扉３８の開放を検出し続けていることにより装填作業中と認識した場合は前記の待機を継続する。
【００５６】
開閉検出センサ３８ａが開閉扉３８の閉鎖を検出したことによりロール紙２の装填終了を認識した場合は、２巻のロール紙が装填されたロール紙収納部４をロール紙移動機構３０により原位置へ戻し、接続子Ａを介してステップＳ２へ戻り、発券処理およびロール紙補充処理の実行を継続する。
【００５７】
Ｓ１５：上記ステップＳ１２において、補充用のロール紙２ｂの存在を認識した制御部４１は、繰出を終えた第１の収納部４ａの背後に配置されている補充用のロール紙２ｂを収納した第２の収納部４ｂの第２のロール紙搬送路６ｂを、導入搬送路１２との連結部１１へ移動させる。
【００５８】
すなわち、制御部４１は、駆動部９の移動モータ３２により駆動プーリ３３ａを回転駆動し、移動ベルト３４と従動プーリ３３ｂを回転させて、固定具３５により移動ベルト３４に固定されているロール紙収納部４を原位置から連結部１１の方向へ軸方向に移動させ、図５に示すように、第１の収納部４ａ内に収納されたロール紙２ｂの先頭端を発券待機位置に位置させている第２のロール紙搬送路６ｂの連結端が連結部１１へ移動したときに移動モータ３２を停止させ、第２のロール紙搬送路６ｂの連結端を連結部１１に停止させる。このとき、第１の収納部４ａに収納されていた繰出を終えたロール紙２ａの巻芯３ａはシャフト５ａにそのまま残置される。
【００５９】
そして、制御部４１は、導入搬送路１２との連結部１１に停止させた補充用のロール紙２ｂを現用ロール紙２として発券処理を行うために、ロール紙収納部４を現在の位置に停止させたまま接続子Ａを介してステップＳ２へ戻り、発券処理およびロール紙補充処理の実行を継続する。
【００６０】
このように、本実施例の発券装置１においては、ロール紙２を、軸方向に配置した第１および第２の収納部４ａ、４ｂにそれぞれ収納するロール紙収納部４を設けると共に、そのロール紙収納部４を軸方向に移動させるロール紙移動機構３０を設け、１巻目の現用のロール紙２ａの第１の収納部４ａからの繰出を終え、その後尾端の導入搬送路１２への受渡終了後に、ロール紙収納部４をロール紙移動機構３０により軸方向に移動させて、２巻目の補充用のロール紙２ｂの先頭端を発券待機位置に位置させた第２のロール紙搬送路６ｂと導入搬送路１２とを連結するようにしたので、ロール紙２から切断した単券にカール癖を残すことなく、１巻目のロール紙２の繰出が終了した後に、２巻目のロール紙２による単券の発行を自動的に継続することができ、ロール紙２の補充頻度を減少させて係員の負担を軽減することができる。
【００６１】
また、本実施例のロール紙補充処理においては、２巻目の補充用のロール紙２ｂの後尾端が通過監視センサ１４を通過した後の、後尾端の導入搬送路１２への受渡を終えた２巻目のロール紙２ｂによる一定枚数の単券の発券中に、補充用のロール紙２が存在しない場合は、係員に用紙切れの報知を行うので、２巻目のロール紙２が完全になくなる前に、新たな２巻のロール紙２のロール紙収納部４への装填を２巻目のロール紙２による一定枚数の発券中に並行して行うことが可能になり、係員は利用者の混雑状況や業務の合間を見計らって使い終わった巻芯３の除去と新たな２巻のロール紙２の装填を行うことができ、係員の負担を軽減することができると共に、新たなロール紙２を装填するタイミングを柔軟にして発券装置１の稼動効率を向上させることができる。
【００６２】
なお、本実施例では、ロール紙２はシャフト５に嵌合させて第１および第２の収納部４ａ、４ｂに装填するとして説明したが、第１および第２の収納部４ａ、４ｂの底面に直接載置して装填するようにしてもよい。
【００６３】
以上説明したように、本実施例では、軸方向に並列に配置されたロール紙をそれぞれ収納する第１および第２の収納部を有するロール紙収納部の第１および第２の収納部に、それぞれに収納されたロール紙を搬送する第１および第２のロール紙搬送路を設けると共に、第１のロール紙搬送路に連結し、第１の収納部から第１のロール紙搬送路により搬送されたロール紙の先頭端をカッタ部へ搬送する１つの導入搬送路を設け、第１の収納部に収納されたロール紙の後尾端が導入搬送路へ受渡されたときに、ロール紙収納部を軸方向に移動させて、第２のロール紙搬送路と導入搬送路とを連結するようにしたことによって、ロール紙から切断した単券にカール癖が発生することを防止しながら、自動的に補充したロール紙によって単券の発行を継続することができ、ロール紙の補充頻度を減少させて係員の負担を軽減することができる。
【実施例２】
【００６４】
以下に、図６ないし図１０を用いて本実施例の発券装置について説明する。なお、上記実施例１と同様の部分は、同一の符号を付してその説明を省略する。
【００６５】
図５、図６において、５０ａは第１の収納部４ａの第１の収納部４ａの下部に設けられた分離繰出機構であり、第１の収納部４ａに装填されたロール紙２ａの外周面を支持すると共にロール紙２ａを繰出回転方向（図６において、反時計方向）およびその逆方向に回転させる支持ローラ５１ａ、５２ａ、繰出回転方向に回転しているロール紙２の外周面上に摺接して外周面からロール紙２の先頭端を分離する分離爪５３ａ、分離爪５３ａで分離された先頭端を第１のロール紙搬送路６ａの搬送ローラ７ａに導く一対のガイド板５４ａ等で構成されており、分離繰出機構５０ａの支持ローラ５１ａ、５２ａに支持されたロール紙２ａを、支持ローラ５１ａ、５２ａで繰出回転方向に回転させ、その先頭端を分離爪５３ａで分離して第１のロール紙搬送路６ａへ自動的に繰出す機能を有している。
【００６６】
本実施例の支持ローラ５１ａは、駆動部９に設けられたモータ等により正逆方向に回転駆動される駆動ローラであり、支持ローラ５２ａはロール紙２の回転に伴って回転する従動ローラである。
【００６７】
５０ｂは第２の収納部４ｂの第２の収納部４ｂの下部に設けられた分離繰出機構であり、第２の収納部４ｂに装填されたロール紙２ｂの外周面を支持すると共にロール紙２ｂを繰出回転方向およびその逆方向に回転させる支持ローラ５１ｂ、５２ｂ、繰出回転方向に回転しているロール紙２の外周面上に摺接して外周面からロール紙２の先頭端を分離する分離爪５３ｂ、分離爪５３ｂで分離された先頭端を第２のロール紙搬送路６ｂの搬送ローラ７ｂに導く一対のガイド板５４ｂ等で構成されており、分離繰出機構５０ｂの支持ローラ５１ｂ、５２ｂに支持されたロール紙２ｂを、支持ローラ５１ｂ、５２ｂで繰出回転方向に回転させ、その先頭端を分離爪５３ｂで分離して第２のロール紙搬送路６ｂへ自動的に繰出す機能を有している。
【００６８】
本実施例の支持ローラ５１ｂは、駆動部９に設けられたモータ等により第１の収納部４ａの支持ローラ５１ａとは独立に正逆方向に回転駆動される駆動ローラであり、支持ローラ５２ｂはロール紙２の回転に伴って回転する従動ローラである。
【００６９】
上記のように、本実施例の第１のロール紙搬送路６ａは、図６に示すように、分離繰出機構５０ａから連結部１１の間を接続するように形成され、その正搬送方向の最下流部に搬送ローラ７ａが配置され、その最上流の連結端の手前に搬送ローラ８ａが配置され、搬送ローラ８ａの上流側には、監視センサ１０ａが配置されている。第２のロール紙搬送路６ｂの場合も同様である。
【００７０】
また、本実施例のロール紙２ａは、第１の収納部４ａの支持ローラ５１ａ、５２ａに支持された状態で収納され、ロール紙２ｂは、第２の収納部４ｂの支持ローラ５１ｂ、５２ｂに支持された状態で収納される。このため上記実施例１で説明したシャフト５ａ、５ｂは省略され、支持ローラ５１ａ、５２ａの間、支持ローラ５１ｂ、５２ｂの間の間隔は、巻芯３ａ、３ｂの直径より狭い間隔に設定されている。
【００７１】
なお、分離繰出機構５０ａ、５０ｂはそれぞれ第１および第２の収納部４ａ、４ｂ内に設けられているので、ロール紙収納部４の移動に伴って同時に移動する。
【００７２】
本実施例の発券装置１の記憶部４５には、上記実施例１と同様の発券処理プログラムや、第１および第２の収納部４ａ、４ｂにロール紙２ａ、２ｂが装填されたときに、それらのロール紙２ａ、２ｂの先頭端を自動で繰出して第１および第２のロール紙搬送路６ａ、６ｂの発券待機位置に待機させ、現用のロール紙２ａの第１の収納部４ａからの繰出が終了し、そのロール紙２ａの後尾端が導入搬送路１２へ受渡されたときに、ロール紙収納部４を軸方向に移動させて、単券発行用紙を、第２の収納部４ｂに収納された補充用のロール紙２ｂに切替えて、発券を継続するロール紙補充処理プログラム等からなる業務実行プログラムが予め格納されており、制御部４１が実行する業務実行プログラムのステップにより本実施例の発券装置１の各機能手段が形成される。
【００７３】
以下に、図９にＳＡで示すステップに従って、本実施例の発券処理およびロール紙補充処理について説明する。
【００７４】
ＳＡ１：ロール紙収納部４にロール紙２が収納されていない場合、係員は発券装置１の開閉扉３８を開放し、ロール紙券発行アセンブリを発券装置１の筐体から引出し、原位置に停止しているロール紙収納部４の第１の収納部４ａ内の支持ローラ５１ａ、５２ａ上に現用とするロール紙２ａを、その軸方向の背後に配置された第２の収納部４ｂ内の支持ローラ５１ｂ、５２ｂ上に補充用とするロール紙２ｂを装填し、その状態でロール紙券発行アセンブリを、発券装置１の筐体内へ押込んで開閉扉３８を閉鎖する。発券装置１の制御部４１は、開閉扉３８に設けた開閉検出センサ３８ａが開閉扉３８の閉鎖を検出したときにステップＳＡ２へ移行する。
【００７５】
ＳＡ２：制御部４１は、装填されたロール紙２ａ、２ｂの先頭端の分離繰出動作を行う。
【００７６】
すなわち、制御部４１は、支持ローラ５１ａによってロール紙２ａを繰出回転方向に回転させ、その先頭端を分離爪５３ａで分離し、分離した先頭端をガイド板５４ａにより、ガイド板５４ａの出口直後に配置されている第１のロール紙搬送路６ａの搬送ローラ７ａへ導いて搬送ローラ７ａに挟持させ、ロール紙２ｂも前記と同様にして、その先頭端を第２のロール紙搬送路６ｂの搬送ローラ７ｂへ導いて搬送ローラ７ｂに挟持させる。これにより現用とするロール紙２ａの先頭端および補充用とするロール紙２ｂの先頭端が自動的に第１および第２のロール紙搬送路６ａ、６ｂへ繰出される。
【００７７】
ＳＡ３：ロール紙２ａ、２ｂの先頭端を搬送ローラ７ａ、７ｂに挟持させた制御部４１は、繰出したロール紙２ａを第１のロール紙搬送路６ａにより搬送し、搬送監視センサ１０ａが先頭端を検出した後に所定の距離搬送して搬送ローラ８ａに挟持させ、分離繰出後のロール紙２ａの先頭端を発券待機位置に停止させ、ロール紙２ｂも前記と同様にして、分離繰出後のロール紙２ｂの先頭端を発券待機位置に停止させる。
【００７８】
その後のステップＳＡ４〜ＳＡ１３の作動は、上記実施例１のステップＳ２〜Ｓ１１の作動と同様であるので、その説明を省略する。
【００７９】
ＳＡ１４：ステップＳＡ４において、通過監視センサ１４がロール紙２の後尾端を検出したことにより現用ロール紙２の後尾端の導入搬送路１２への受渡終了を判定した制御部４１は、ロール紙補充処理を実行するために、ロール紙検出センサ３７からの出力を確認し、ロール紙検出センサ３７が第２の収納部４ｂに装填されている補充用のロール紙２ｂの存在を検出している場合はステップＳＡ１７へ移行する。ロール紙検出センサ３７がロール紙２の存在を検出していない場合、つまりロール紙収納部４に装填された２巻のロール紙２の繰出が終了している場合はステップＳＡ１５へ移行する。
【００８０】
ＳＡ１５：装填された２巻のロール紙２の繰出が終了したことを認識した制御部４１は、ロール紙収納部４の用紙切れを認識し、上記実施例１のステップＳ１３と同様にして、ロール紙収納部４における用紙切れの発生を係員に報知する。
【００８１】
用紙切れの報知を受けた係員は、開閉扉３８を開放し、ロール紙券発行アセンブリを引出して残置された巻芯３ａ、３ｂを除去し、上記ステップＳＡ１と同様にして、係員はロール紙２ａ、２ｂを第１および第２の収納部４ａ、４ｂに装填し、その状態でロール紙券発行アセンブリを発券装置１の筐体内へ押込んで開閉扉３８を閉鎖する。
【００８２】
ＳＡ１６：用紙切れの発生を報知した制御部４１は、係員による装填作業の終了を待って待機しており、開閉検出センサ３８ａが開閉扉３８の開放を検出し続けていることにより装填作業中と認識した場合は前記の待機を継続する。
【００８３】
開閉検出センサ３８ａが開閉扉３８の閉鎖を検出したことによりロール紙２の装填終了を認識した場合は、２巻のロール紙２が装填されたロール紙収納部４をロール紙移動機構３０により原位置へ戻し、接続子Ｃを介してステップＳＡ２へ戻り、ロール紙２ａ、２ｂの先頭端の分離繰出動作を行い、ステップＳＡ３以降の処理を継続する。
【００８４】
ＳＡ１７：ステップＳＡ１４において、補充用のロール紙２ｂの存在を認識した制御部４１は、繰出を終えた第１の収納部４ａの背後に配置されている補充用のロール紙２ｂを収納した第２の収納部４ｂの第２のロール紙搬送路６ｂを、導入搬送路１２との連結部１１へ移動させる。
【００８５】
すなわち、制御部４１は、駆動部９の移動モータ３２により駆動プーリ３３ａを回転駆動し、移動ベルト３４と従動プーリ３３ｂを回転させて、固定具３５により移動ベルト３４に固定されているロール紙収納部４を原位置から連結部１１の方向へ軸方向に移動させ、図１０に示すように、第２の収納部４ｂ内に収納されたロール紙２ｂの先頭端を発券待機位置に位置させている第２のロール紙搬送路６ｂの連結端が連結部１１へ移動したときに移動モータ３２を停止させ、第２のロール紙搬送路６ｂの連結端を連結部１１に停止させる。このとき、第１の収納部４ａに収納されていた繰出を終えたロール紙２ａの巻芯３ａは支持ローラ５１ａ、５２ａ上にそのまま残置される。
【００８６】
そして、制御部４１は、導入搬送路１２との連結部１１に停止させた補充用のロール紙２ｂを現用ロール紙２として発券処理を行うために、ロール紙収納部４を現在の位置に停止させたまま接続子Ｂを介してステップＳＡ４へ戻り、発券処理およびロール紙補充処理の実行を継続する。
【００８７】
このように、本実施例の発券装置１においては、第１および第２の収納部４ａ、４ｂに収納されたロール紙２ａ、２ｂのそれぞれの先頭端を分離して第１および第２のロール紙搬送路６ａ、６ｂへ繰出す分離繰出機構５０ａ、５０ｂを設けたので、係員は第１および第２の収納部４ａ、４ｂにそれぞれロール紙２を装填するだけで、それぞれの先頭端を自動的に発券待機位置へ位置させることができ、係員のロール紙２の装填作業における負担を軽減することができる。
【００８８】
以上説明したように、本実施例では、上記実施例１と同様の効果に加えて、第１および第２の収納部に、それぞれに収納されたロール紙の先頭端を分離して第１および第２のロール紙搬送路へ繰出す分離繰出機構を設けたことによって、係員は第１および第２の収納部にそれぞれロール紙を装填するだけで、それぞれの先頭端を自動的に発券待機位置へ位置させることができ、係員のロール紙の装填作業における負担を軽減することができる。
【００８９】
なお、上記各実施例においては、上位装置は鉄道で用いられる乗車券等の券売機であるとして説明したが、上位装置は前記に限らず、航空券の券売機や飲食業で用いられる食券の券売機等であってもよい。
【符号の説明】
【００９０】
１    発券装置
２、２ａ、２ｂ  ロール紙
３、３ａ、３ｂ  巻芯
４  ロール紙収納部
４ａ  第１の収納部
４ｂ  第２の収納部
５、５ａ、５ｂ  シャフト
６    ロール紙搬送路
６ａ  第１のロール紙搬送路
６ｂ  第２のロール紙搬送路
７ａ、７ｂ、８ａ、８ｂ  搬送ローラ
９    駆動部
１０ａ、１０ｂ  搬送監視センサ
１１  連結部
１２  導入搬送路
１３  カッタ部
１４  通過監視センサ
１５  単券搬送路
１６  スタッカ
１８  印字部
１９  磁気情報書込部
２０  磁気情報読取部
２１  券挿入部
３０  ロール紙移動機構
３１  スライドレール
３２  移動モータ
３３ａ  駆動プーリ
３３ｂ  従動プーリ
３４  移動ベルト
３５  固定具
３７  ロール紙検出センサ
３８  開閉扉
３８ａ  開閉検出センサ
４１  制御部
４２  信号回線
４３  上位装置
４５  記憶部
５０ａ、５０ｂ  分離繰出機構
５１ａ、５１ｂ、５２ａ、５２ｂ  支持ローラ
５３ａ、５３ｂ  分離爪
５４ａ、５４ｂ  ガイド板
【図１】
2011221716.tif 000003
【図２】
2011221716.tif 000004
【図３】
2011221716.tif 000005
【図４】
2011221716.tif 000006
【図５】
2011221716.tif 000007
【図６】
2011221716.tif 000008
【図７】
2011221716.tif 000009
【図８】
2011221716.tif 000010
【図９】
2011221716.tif 000011
【図１０】
2011221716.tif 000012